(57)【要約】  注湯流量を制御して鋳型に溶湯を注湯する自動注湯方法であって、注湯量と注湯時間とパラメータとにより注湯パターンを決定し、前記注湯パターンは、経過時間に対する注湯流量の変化を示すものであり、注湯開始点である第１点、傾きの特異点である第２点、傾きの特異点である第３点、傾きの特異点である第４点、及び、注湯終了点である第５点を順に有し、前記第４点で湯切り動作を開始するものとし、前記第３点から前記第４点までが同じ注湯流量としたとき、前記パラメータは、前記第２点から前記第４点までの注湯量を分子とし、前記第３点から前記第４点までの注湯流量と、前記第２点から前記第４点までの時間との積算により得られた値を分母とするものであり、決定された前記注湯パターンに基づいて、鋳型に注湯する。
2013544188.tif 000002
【特許請求の範囲】
【請求項１】
注湯流量を制御して鋳型に溶湯を注湯する自動注湯方法であって、
注湯量と、注湯時間と、パラメータとにより注湯パターンを決定し、
前記注湯パターンは、経過時間に対する注湯流量の変化を示すものであり、注湯開始点である第１点、傾きの特異点である第２点、傾きの特異点である第３点、傾きの特異点である第４点、及び、注湯終了点である第５点を順に有し、
前記第４点で湯切り動作を開始するものとし、前記第３点から前記第４点までが同じ注湯流量としたとき、前記パラメータは、前記第２点から前記第４点までの注湯量を分子とし、前記第３点から前記第４点までの注湯流量と、前記第２点から前記第４点までの時間との積算により得られた値を分母とするものであり、
決定された前記注湯パターンに基づいて、鋳型に注湯する自動注湯方法。
【請求項２】
決定された前記注湯パターンを、前記第３点から前記第４点までの時間を変更することによって調整し、
調整後の前記注湯パターンに基づいて、鋳型に注湯する請求項１に記載の自動注湯方法。
【請求項３】
決定された前記注湯パターンを、注湯時間が長くなるほど前記第３点から前記第４点までの時間が長くなるように変更することによって調整する請求項２に記載の自動注湯方法。
【請求項４】
鋳型に溶湯を注湯する自動注湯装置であって、
鋳型に溶湯を注湯する際の注湯流量を制御する注湯流量制御手段と、
注湯量、注湯時間、及びパラメータにより注湯パターンを決定する注湯パターン決定手段と
を備え、
前記注湯パターンは、経過時間に対する注湯流量の変化を示すものであり、注湯開始点である第１点、傾きの特異点である第２点、傾きの特異点である第３点、傾きの特異点である第４点、及び、注湯終了点である第５点を順に有し、
前記第４点で湯切り動作を開始するものとし、前記第３点から前記第４点までが同じ注湯流量としたとき、前記パラメータは、前記第２点から前記第４点までの注湯量を分子とし、前記第３点から前記第４点までの注湯流量と、前記第２点から前記第４点までの時間との積算により得られた値を分母とするものであり、
前記注湯流量制御手段は、前記注湯パターン決定手段で決定された注湯パターンに基づいて、注湯流量を制御する自動注湯装置。
【請求項５】
決定された前記注湯パターンを、前記第３点から前記第４点までの時間を変更することによって調整する調整手段を有し、
前記注湯流量制御手段は、調整後の前記注湯パターンに基づいて、注湯流量を制御する請求項４に記載の自動注湯装置。
【請求項６】
前記調整手段は、決定された前記注湯パターンを、注湯時間が長くなるほど前記第３点から前記第４点までの時間が長くなるように変更することによって調整する請求項５に記載の自動注湯装置。
【発明の詳細な説明】
【技術分野】
【０００１】
本発明は、鋳型に溶湯を注湯する自動注湯方法及び自動注湯装置に関する。
【背景技術】
【０００２】
従来、鋳造工場の注湯装置の注湯動作を記憶させ、自動注湯するには、固定プログラム方式やティーチングプレーバック方式が採用されている。
【０００３】
生型砂鋳造ラインにおける自動注湯装置では、予め鋳型への注湯動作をティーチングしておき、プレーバックする方法が多く使用されている。生型砂鋳造ラインの自動注湯装置におけるティーチングプレーバック方式とは、予め、熟練作業者の注湯パターン（微小時間毎の取鍋傾動速度、流量等）、又は、鋳型もしくは方案などによる湯の飲み込みに合わせた注湯パターンを登録し、それを再現させていくものである。なお、取鍋毎に異なる傾動角度と流量の変化、つまり、取鍋の形状データは、予め、データとして持っておく。まず、鋳型への注湯流線を目視確認しながら、最適な注湯流線になるよう、ノズル先端中心の取鍋傾動速度を変化させて注湯する。例えば図１に示すような操作盤１に設けた可変ボリューム２等を操作することにより注湯する。また、操作盤１には表示器３が設けられている。その注湯結果が最適であれば、鋳込み速度プログラムが最適であるとして、この注湯パターンを登録釦で鋳込みデータとして記憶させる。これが、ティーチングである。なお、可変ボリューム２は、制御装置の処理装置に接続され、傾動駆動システムと連結している。
【０００４】
同一パターンの鋳型への注湯は、このティーチングした最適鋳込みプログラムで、注湯動作を実現する。つまり、出湯開始からの流量を実際の出湯開始位置から、順次、取鍋傾動速度に変換し出湯させる。なお、取鍋傾動による出湯口の位置（高さ、前後位置）は、取鍋の形状や大きさによって異なる。使用する取鍋によらず出湯口の位置が一定となるように、高さ及び前後位置の移動動作が行われる。この動作は、傾動動作と同時に行われる。これをプレーバックとしている。ティーチングエリアは、出湯開始から、湯切りまでである（図２参照）。
【０００５】
図２は、従来のティーチング方式における注湯パターンの一例を示すものであり、縦軸Ｖは、傾動角速度（注湯流量に相当）を示し、縦軸ｔは、経過時間を示す。Ｖ１０２は、出湯前傾動角速度である。Ｔ１０１は、Ｐ１００で示す出湯開始後の出湯前加速時間である。Ｔ１０２は、出湯後減速時間である。Ｔ１０３は、ティーチング領域である。図示しない光センサ等の出湯検出器により、Ｐ１０１の点で出湯検出する。ロードセルによる溶湯重量変化から、必要注湯量に至ったら、Ｐ１０２で示す湯切りする。
【先行技術文献】
【特許文献】
【０００６】
【特許文献１】特許２６６８４８７号公報
【特許文献２】特許３３６１３６９号公報
【発明の概要】
【発明が解決しようとする課題】
【０００７】
しかし、上述したティーチングプレーバックは、実際に、鋳型に注湯して、そのデータを登録しなければならず、経験と勘を有する熟練作業者が必要になる場合がある。また、注湯時間が数秒と短い注湯パターンはティーチングが困難で、鋳型に溶湯が不足したり、あふれたりするおそれがある。
【０００８】
このため、当該技術分野では、平易で数値化することができる注湯パターンを作成し、各種造型ラインの鋳型に対して溶湯を過不足なく高速注湯することを可能とする自動注湯方法及び自動注湯装置が望まれている。
【課題を解決するための手段】
【０００９】
本発明の一側面に係る自動注湯方法は、注湯流量を制御して、鋳型に溶湯を注湯する自動注湯方法であって、注湯量と、注湯時間と、パラメータとにより注湯パターンを決定し、前記注湯パターンは、経過時間に対する注湯流量の変化を示すものであり、注湯開始点である第１点、傾きの特異点である第２点、傾きの特異点である第３点、傾きの特異点である第４点、及び、注湯終了点である第５点を順に有し、前記第４点で湯切り動作を開始するものとし、前記第３点から前記第４点までが同じ注湯流量としたとき、前記パラメータは、前記第２点から前記第４点までの注湯量を分子とし、前記第３点から前記第４点までの注湯流量と、前記第２点から前記第４点までの時間との積算により得られた値を分母とするものであり、決定された前記注湯パターンに基づいて、鋳型に注湯する。
【００１０】
本発明の別の側面に係る自動注湯装置は、鋳型に溶湯を注湯する際の注湯流量を制御する注湯流量制御手段と、注湯量、注湯時間、及びパラメータにより注湯パターンを決定する注湯パターン決定手段とを備え、前記注湯パターンは、経過時間に対する注湯流量の変化を示すものであり、注湯開始点である第１点、傾きの特異点である第２点、傾きの特異点である第３点、傾きの特異点である第４点、及び、注湯終了点である第５点を順に有し、前記第４点で湯切り動作を開始するものとし、前記第３点から前記第４点までが同じ注湯流量としたとき、前記パラメータは、前記第２点から前記第４点までの注湯量を分子とし、前記第３点から前記第４点までの注湯流量と、前記第２点から前記第４点までの時間との積算により得られた値を分母とするものであり、前記注湯流量制御手段は、前記注湯パターン決定手段で決定された注湯パターンに基づいて、注湯流量を制御する。
【発明の効果】
【００１１】
本発明の種々の側面及び実施形態によれば、製品毎に決まる注湯量及び注湯時間に加えて設定したパラメータに基づいて注湯パターンを決定するので、注湯パターンの姿（形）を直感で把握させることができる。また、注湯パターンを数値化することができるので、容易に管理することができるとともに、各種造型ラインの鋳型に対して過不足なく高速注湯することが可能となる。さらに、ティーチングが困難であった注湯時間の短い製品に対しても容易に注湯パターンを決定して適切に注湯を行うことを実現することができる。
【図面の簡単な説明】
【００１２】
【図１】注湯装置に設けられる制御盤の一例を示す図である。
【図２】ティーチング方式の注湯パターンの一例を示す図である。
【図３】実施形態に係る自動注湯方法においてパラメータ（ＦＢ比）により決定される注湯パターンを示す図である。
【図４】該自動注湯方法で決定される注湯パターンの例をＦＢ比の変化とともに示す図である。（ａ）は、ＦＢ比＞１の場合の注湯パターンを示す図であり、（ｂ）は、ＦＢ比＝１の場合の注湯パターンを示す図であり、（ｃ）は、ＦＢ比＜１の場合の注湯パターンを示す図である。
【図５】該自動注湯方法の実施に用いられる自動注湯装置の正面図である。
【図６】該自動注湯装置の側面図である。
【図７】該自動注湯装置のシステム構成図である。
【図８】該自動注湯装置による注湯パターンの例を示す図である。（ａ）は、図４（ａ）と対応し、（ｂ）は、図４（ｂ）と対応し、（ｃ）は、図４（ｃ）と対向する図である。
【図９】手書き注湯パターンの模式図である。
【発明を実施するための形態】
【００１３】
以下、一実施形態に係る自動注湯方法及び自動注湯装置について、図面を参照して説明する。一実施形態に係る自動注湯方法は、注湯流量を制御して、鋳型に溶湯を注湯する際に、注湯量と、注湯時間と、所定のパラメータ（以下、「ＦＢ比」ともいう。）とにより注湯パターンを決定し、決定された注湯パターンに基づいて、鋳型に溶湯を注湯する。
【００１４】
ここで、注湯パターンは、図３に示すように、経過時間に対する注湯流量の変化を示すものである。注湯パターンは、第１点Ｐ１〜第５点Ｐ５を有し、順次それを繋ぐ直線からなるパターンであるものとする。また、注湯開始点を第１点Ｐ１とする。第２点Ｐ２及び第３点Ｐ３を経た第４点Ｐ４で湯切り動作を開始するものとする。第２点Ｐ２、第３点Ｐ３及び第４点Ｐ４のそれぞれは、傾きの特異点である。「傾きの特異点」とは、本実施形態では傾きの変更点である。特異点は、例えば、異なる関数の接続点、変曲点又は停留点であってもよい。第５点Ｐ５を注湯終了点とする。第３点Ｐ３から第４点Ｐ４までが同一の注湯流量であるものとしている。
【００１５】
また、ＦＢ比（パラメータ）は、第２点Ｐ２から第４点Ｐ４までの注湯量を分子とし、第３点Ｐ３から第４点Ｐ４までの注湯流量と、第２点Ｐ２から第４点Ｐ４までの時間との積算により得られた値を分母として表されるものである。
【００１６】
以下、図３に示す注湯パターンについてさらに具体的に説明する。図３等において、横軸は経過時間を示し、縦軸は、注湯流量を示す。注湯開始を示す第１点Ｐ１から第２点Ｐ２までの注湯量をＳ１とする。第２点Ｐ２のときの注湯流量をＱ１とする。注湯流量が同一である第３点Ｐ３から第４点Ｐ４までの注湯流量をＱ２とする。第２点Ｐ２から第４点Ｐ４までの時間Ｔ３の間、注湯流量がＱ２であったと仮定した場合の注湯量をＳ２とする。すなわち、Ｓ２は、時間Ｔ３と、注湯流量Ｑ２との積算で得られる注湯量である。また、第２点Ｐ２から第３点Ｐ３までに注湯流量がＱ１からＱ２まで変化している。この間の注湯流量がＱ２であったと仮定した場合に対する流量差（ここでは増分の流量差）をＳ３とする。第４点Ｐ４から注湯終了を示す第５点Ｐ５までの注湯量をＳ４とする。すなわち注湯量Ｓ１〜Ｓ４は、図３中に示す面積で表される量でもある。第３点Ｐ３から第４点Ｐ４までの時間Ｔ５は、湯切後の慣性の湯の飛び出し量を抑制するための時間である。時間Ｔ５は、２秒程度である。注湯開始を示す第１点Ｐ１から第２点Ｐ２までの注湯量Ｓ１と、第４点Ｐ４から注湯終了を示す第５点Ｐ５までの注湯量Ｓ４との合計注湯量は、経験的に平均流量の２秒分程度である。
【００１７】
注湯パターンを決定するためのパラメータであるＦＢ比は、次式（１）である。式中ＦＢ比はＸと示す。この式（１）は式（２）のように変形することができる。
Ｘ＝（Ｓ３＋Ｓ２）／Ｓ２    ・・・（１）
Ｓ３＝Ｓ２×（Ｘ−１）    ・・・（２）
【００１８】
また、鋳物１個あたりの注湯重量をＳ０とすると、式（３）の関係が成立する。（Ｓ１＋Ｓ４）は、平均流量の２秒分が一般的であるので、式（４）の関係が成立する。式（３）及び式（４）を整理すると式（５）が得られる。
Ｓ０＝Ｓ１＋Ｓ２＋Ｓ３＋Ｓ４    ・・・（３）
（Ｓ１＋Ｓ４）＝２×Ｓ０／Ｔ３    ・・・（４）
（Ｓ２＋Ｓ３）＝Ｓ０−２×Ｓ０／Ｔ３    ・・・（５）
【００１９】
式（５）と上述の式（１）とから次式（６）が得られる。また、式（１）と式（６）より次式（７）が得られる。
Ｓ２＝（Ｓ０／Ｘ）×（１−２／Ｔ３）    ・・・（６）
Ｓ３＝Ｓ０×（１−２／Ｔ３）×（Ｘ−１）／Ｘ    ・・・（７）
【００２０】
第２点Ｐ２から第３点Ｐ３までの流量関数Ｑ（ｔ）は、式（８）のように表される。ここで、ａ，ｂは定数であり、ｔは注湯開始からの経過時間を示す。この式（８）に第２点Ｐ２の条件により得られる式（９）と、第３点Ｐ３の条件により得られる式（１０）とを得る。この式（９）及び式（１０）から式（１１）が得られる。
Ｑ（ｔ）＝ａ×ｔ＋ｂ    ・・・（８）
Ｑ１＝ａ×Ｔ２＋ｂ    ・・・（９）
Ｑ２＝ａ×（Ｔ２＋Ｔ３−Ｔ５）＋ｂ    ・・・（１０）
Ｑ１−Ｑ２＝−ａ×（Ｔ３−Ｔ５）    ・・・（１１）
【００２１】
式（１１）を変形すると、式（１２）が得られる。式（１２）と式（９）より、式（１３）が得られる。
ａ＝−（Ｑ１−Ｑ２）／（Ｔ３−Ｔ５）    ・・・（１２）
ｂ＝Ｑ１＋Ｔ２×（Ｑ１−Ｑ２）／（Ｔ３−Ｔ５）    ・・・（１３）
【００２２】
上述のようにＳ２とＱ２とＴ３の関係は式（１４）のとおりである。また、Ｓ３は、式（１５）のように表すことができる。式（１５）を変形して、式（１６）を得る。式（１６）を、式（１４）を用いてさらに変形して、式（１７）を得る。
Ｑ２＝Ｓ２／Ｔ３    ・・・（１４）
Ｓ３＝（Ｑ１−Ｑ２）×（Ｔ３−Ｔ５）／２    ・・・（１５）
Ｑ１−Ｑ２＝２×Ｓ３／（Ｔ３−Ｔ５）    ・・・（１６）
Ｑ１＝２×Ｓ３／（Ｔ３−Ｔ５）＋Ｓ２／Ｔ３    ・・・（１７）
【００２３】
時間Ｔ５は、２秒程度であるから、製品の注湯重量、注湯時間が決まれば、上述の関係式よりＦＢ比のみで注湯パターンが決められることが示された。すなわち、ＦＢ比を設定するのみで、所望の注湯パターンが得られるとともに、直感的にその注湯パターンの姿（形状）をイメージさせることが可能であることも示された。
【００２４】
次に、図４を用いて、ＦＢ比の機能を説明する。図４（ａ）はＦＢ比が１より大きい場合の模式図であり、注湯の前半の溶湯流量が後半に比べて大きい場合である。図４（ｂ）はＦＢ比が１の時の模式図であり、注湯の全般に亘って溶湯流量が等しい場合である。図４の（ｃ）はＦＢ比が１より小さい場合の模式図であり、溶湯の後半の溶湯流量が前半に比べて大きい場合である。図４に示すようにＦＢ比の可変によって、注湯パターンの姿（形状）を変更することができる。すなわち、製品の形状や方案に応じた注湯パターン（前半の流量が大きい場合、平均的な場合、後半の流量が大きい場合）が変更できることが示されている。また、時間Ｔ５の値を変更して、注湯パターンを変更することができる。例えば時間Ｔ５の値を大きくすることによって、すなわち、第３点Ｐ３から第４点Ｐ４までを大きくすることによって、注湯時間が比較的長いものにも対応することが可能である。すなわち、時間Ｔ５は、標準値として２秒に設定されているとともに第３点Ｐ３から第４点Ｐ４を調整するように変更することが可能なように構成することで、注湯時間が短いものから比較的長いものにも対応することが可能となる。
【００２５】
以上のように、一実施形態に係る自動注湯方法によれば、製品毎に決まる注湯量及び注湯時間に加えて設定したパラメータに基づいて注湯パターンを決定するので、注湯パターンの姿（形）を直感で把握させることができる。また、注湯パターンを数値化することができるので、容易に管理することができるとともに、各種造型ラインの鋳型に対して過不足なく高速注湯することが可能となる。さらに、ティーチングが困難であった注湯時間の短い製品に対しても容易に注湯パターンを決定して適切に注湯を行うことを実現することができる。
【００２６】
すなわち、該方法において、注湯パターンを変更するパラメータとして、感覚的な設定でなく、数値で決定することができ、管理がしやすい。また、ティーチングが困難な注湯時間の短い製品などに対しても容易に注湯パターンが決められる手法として、製品で決定される注湯重量及び注湯時間の他に、前後の注湯流量の比率を示すＦＢ比なるパラメータを設ける点にも特徴を有する。このＦＢ比は、注湯流量を前半と後半のいずれに比重をおくかの比率ともいえる。
【００２７】
よって、該自動注湯方法は、自動注湯装置において、製品毎に決まる注湯重量および注湯時間に加えて、ＦＢ比を設け、経過時間毎の注湯流量を決定する注湯パターンを算出（決定）することができるので、注湯姿が把握しやすい。さらに、数値で決定することができるので管理がしやすい。また、ティーチングが困難な注湯時間の短い製品などに容易に注湯パターンが決められる等種々の効果がある。換言すると、該方法は、ゲート、中子など各方案に相当する湯の飲み込みに合致した平易で数値化することができる注湯パターンを作成することができる。このため該方法は、溶湯の過不足のない、各種造型ラインの造型に対応して高速注湯をすることを可能とする。
【００２８】
次に、該自動注湯方法を行う自動注湯装置２０について説明する。自動注湯装置２０は、鋳型に溶湯を注湯する際の注湯流量を制御する注湯流量制御手段２１と、注湯量、注湯時間、及び上述のＦＢ比により注湯パターンを決定する注湯パターン決定手段２２とを備える。注湯流量制御手段２１は、注湯パターン決定手段２２で決定された注湯パターンに基づいて、注湯流量を制御する。
【００２９】
具体的に自動注湯装置２０は、図５及び図６に示すように、走行台車３０の上面に、取鍋３１を傾動させる傾動駆動装置３２と、傾動駆動装置３２を上下させる昇降駆動装置３３と、傾動駆動装置３２及び昇降駆動装置３３を図示されない造型機で造型された鋳型３４に対して前後させる前後駆動装置３５と、これらの装置全体の重量を計測するロードセル３６と、走行台車３０を駆動する走行駆動装置３７と、これらを制御する制御装置３８と、自動注湯装置を操作する操作盤３９とを備える。
【００３０】
そして、図７に示すように、システム構成は、大きく分けて、駆動計測系２５と、制御装置３８と、制御装置３８内の処理装置２７と、操作盤３９に分けられる。駆動計測系２５は、昇降駆動装置３３の昇降軸サーボモータ４０と、前後駆動装置３５の前後軸サーボモータ４１と、傾動駆動装置３２の傾動軸サーボモータ４２と、走行駆動装置３７の走行軸サーボモータ４３と、ロードセル３６とを有する。
【００３１】
制御装置３８は、昇降軸サーボモータ４０を駆動処理する昇降軸サーボアンプ５０と、前後軸サーボモータ４１を前後処理する前後軸サーボアンプ５１と、傾動軸サーボモータ４２を駆動処理する傾動軸サーボアンプ５２と、走行軸サーボモータ４３を駆動処理する走行軸サーボアンプ５３と、処理装置２７とを有する。昇降軸サーボアンプ５０と、前後軸サーボアンプ５１と、傾動軸サーボアンプ５２と、走行軸サーボアンプ５３とには、電源２６が接続されている。
【００３２】
処理装置２７は、高速カウンタユニット６０と、Ａ／Ｄ変換ユニット６１と、Ｄ／Ａ変換ユニット６２と、中央演算処理装置６３とを有する。中央演算処理装置６３は、操作盤３９に接続されている。操作盤３９は、図１と同様に、表示器や各種操作釦等が設けられる。中央演算処理装置６３は、上述した注湯流量制御手段２１及び注湯パターン決定手段２２として機能する。
【００３３】
中央演算処理装置６３は、速度指令を、Ｄ／Ａ変換ユニット６２を介し、各軸のサーボアンプへ出力する。これにより、各軸サーボモータが駆動し、昇降軸、前後軸および傾動軸の各軸が動作する。各軸のサーボモータの位置検出器から出力された信号は、サーボアンプを介して、高速カウンタユニット６０に入力される。このため、中央演算処理装置６３は、位置データを把握することができる。よって、速度・位置決め装置が構成することができる。また、ロードセル３６の信号はロードセル変換器５４を介して入力される。これにより、溶湯重量を計測することができ、さらに、溶湯流量を算出することができる。ＦＢ比による注湯パターンから、注湯開始からの時間と注湯流量曲線が決定することができる。このため、溶湯流量を各軸の速度・位置決め制御にフィードバックして、所定の注湯パターンを再現する（特許文献１，２参照）。図８は、図４の注湯パターンで注湯した時の実際の注湯流量データを示す。図８の（ａ）〜（ｃ）は、それぞれ図４（ａ）〜（ｃ）と対応している。
【００３４】
また、操作盤３９の表示器のタッチパネル上で、図９に示すような手書曲線Ｃ１２の入力あるいは修正も可能である。例えば、キャビティ、ゲートの大きさ、中子のガス発生程度などの要因から入力し又は修正することができる。また、製品の注湯重量及び注湯時間による注湯パターンの自動修正も可能なように構成しても良い。例えば、処理装置２７が、調整手段として機能する。処理装置２７は、製品の注湯時間が長いほど時間Ｔ５の値を大きくする。すなわち、処理装置２７は、製品の注湯時間が長いほど第３点Ｐ３から第４点Ｐ４までの時間Ｔ５を大きくする。このように構成することで注湯時間が比較的長い製品にも対応することが可能である。すなわち、時間Ｔ５は、処理装置２７によって、標準値として２秒に設定されているとともに第３点Ｐ３から第４点Ｐ４を調整するように変更することが可能である。このため、注湯時間が短いものから比較的長いものにも対応することが可能となる。図９中、手書曲線で修正後の曲線が、修正手書曲線Ｃ１１を示し、Ｐ１１は、注湯開始を示し、Ｐ１２は、湯切を示す。
【００３５】
一実施形態に係る自動注湯装置２０は、上述のような注湯流量制御手段２１及び注湯パターン決定手段２２を備え、製品毎に決まる注湯量及び注湯時間に加えて設定したパラメータに基づいて注湯パターンを決定する。このため、注湯パターンの姿（形）を直感で把握させることができる。また、注湯パターンを数値化できるので、管理を容易にできるとともに、各種造型ラインの鋳型に対して過不足なく高速注湯することが可能となる。さらに、ティーチングが困難であった注湯時間の短い製品に対しても容易に注湯パターンを決定して適切に注湯を行うことを実現することができる。
【符号の説明】
【００３６】
２０…自動注湯装置、２１…注湯流量制御手段、２２…注湯パターン決定手段、３１…取鍋、３２…傾動駆動部、３３…昇降駆動部、３４…鋳型、３８…制御装置、３９…操作盤、６３…中央演算処理装置。
【図１】
2013544188.tif 000003
【図２】
2013544188.tif 000004
【図３】
2013544188.tif 000005
【図４】
2013544188.tif 000006
【図５】
2013544188.tif 000007
【図６】
2013544188.tif 000008
【図７】
2013544188.tif 000009
【図８】
2013544188.tif 000010
【図９】
2013544188.tif 000011
【国際調査報告】
2013544188.tif 000012
2013544188.tif 000013
2013544188.tif 000014
2013544188.tif 000015
2013544188.tif 000016